(57)【要約】【課題】対象物を的確に検知することができる設備装置を提供する。【解決手段】設備装置１００は、光信号を送信する投光部６６ａ，６６ｂ，６６ｃと、投光部６６ａ，６６ｂ，６６ｃから送信された光信号が対象物に当たって反射される反射信号を受信し、受信した反射信号に基づいて検知信号を送信する受光部６７と、を有するセンサー６０と、センサー６０の一方側に配置されたパネル４と、を備え、パネル４には、対象物を所定の位置に案内させる表示部４１が設けられ、投光部６６ａ，６６ｂ，６６ｃは、表示部４１の一方側を指向可能に配置されている第一投光部６６ａを有し、正面視で表示部４１はセンサー６０と隣り合って配置されていることを特徴とする。【選択図】図５
2019052956.tif 000002
【特許請求の範囲】
【請求項１】
光信号を送信する投光部と、該投光部から送信された光信号が対象物に当たって反射される反射信号を受信し、受信した該反射信号に基づいて検知信号を送信する受光部と、を有するセンサーと、
前記センサーの一方側に配置されたパネルと、を備え、
該パネルには、前記対象物を所定の位置に案内させる表示部が設けられ、
前記投光部は、前記表示部の前記一方側を指向可能に配置されている第一投光部を有し、
正面視で前記表示部は前記センサーと隣り合って配置されていることを特徴とする設備装置。
【請求項２】
前記投光部は、前記一方側を指向可能に配置されている第二投光部を有し、
正面視で前記第一投光部は前記第二投光部よりも前記表示部に近接配置されている請求項１に記載の設備装置。
【請求項３】
前記検知信号に基づいて、所定の機能を実行させる出力信号を送信する制御部と、
前記出力信号に基づいて、前記所定の機能を実行する機能実行部と、を備え、
前記制御部は、前記所定の機能を実行中に、前記検知信号を受信すると、前記所定の機能を停止させる停止信号を送信し、
前記機能実行部は、前記停止信号に基づいて、前記所定の機能の実行を停止させる請求項１または２に記載の設備装置。
【発明の詳細な説明】
【技術分野】
【０００１】
本発明は、設備装置に関するものである。
【背景技術】
【０００２】
従来から、トイレには、排泄時の行為音が外部に聞こえてしまうことを防止するために、水洗トイレの流水音や川のせせらぎの音を発生させる擬音装置が設置されている。この擬音装置として、センサー、停止スイッチ及びスピーカー本体等の機能部品がケース内に収容され、ケースの表側（利用者側）にフロントカバーが設けられたものが提案されている（下記の特許文献１参照）。
【０００３】
また、センサーとして、前方が開口されたケース内に、遮光壁を隔てて一対の投光素子と受光素子とが基板上に配置され、ケースの開口を透明カバーで覆ったものが提案されている（下記の特許文献２参照）。
【０００４】
また、トイレに設置される擬音装置のセンサーでは、センサーを覆うカバーの表面（利用者側の面）に、手を示すピクトグラム（絵文字）が設けられて、当該部分に手をかざすことを示したものもある。投光素子から送信された光信号が、手に当たって反射して、受光素子が反射信号を受信する構成である。
【先行技術文献】
【特許文献】
【０００５】
【特許文献１】特開２０１２−９０９７１号公報
【特許文献２】特開２００１−２５０９７９号公報
【発明の概要】
【発明が解決しようとする課題】
【０００６】
しかしながら、上記のようなピクトグラムが設けられた擬音装置では、投光素子からの光信号がピクトグラムで遮断されて手まで到達しなかったり、反射された反射信号がピクトグラムで遮断されて受光素子まで到達しなかったりする虞がある。このため、センサーの前にかざされた手（対象物）を検知できないという問題点がある。
【０００７】
そこで、本発明は、上記事情に鑑みてなされたものであり、対象物を的確に検知することができる設備装置を提供する。
【課題を解決するための手段】
【０００８】
上記目的を達成するために、本発明は以下の手段を採用している。
すなわち、本発明に係る設備装置は、光信号を送信する投光部と、該投光部から送信された光信号が対象物に当たって反射される反射信号を受信し、受信した該反射信号に基づいて検知信号を送信する受光部と、を有するセンサーと、前記センサーの一方側に配置されたパネルと、を備え、該パネルには、前記対象物を所定の位置に案内させる表示部が設けられ、前記投光部は、前記表示部の前記一方側を指向可能に配置されている第一投光部を有し、正面視で前記表示部は前記センサーと隣り合って配置されていることを特徴とする。
【０００９】
このように構成された設備装置では、センサーの前方に配置されたパネルに表示された表示部は、正面視でセンサーと隣り合って配置されている。よって、表示部は正面視でセンサーと重なって配置されていないため、投光部から送信される光信号が表示部で遮断されない。また、第一投光部は表示部の一方側を指向可能に配置されているため、第一投光部からの光信号は表示部の一方側の対象物まで到達する。さらに、表示部は正面視でセンサーと重なって配置されていないため、光信号が対象物に当たって反射される反射信号が表示部で遮断されずに受光部に到達する。したがって、センサーは対象物を的確に検知することができる。
【００１０】
また、本発明に係る設備装置では、前記投光部は、前記一方側を指向可能に配置されている第二投光部を有し、正面視で前記第一投光部は前記第二投光部よりも前記表示部に近接配置されていることが好ましい。
【００１１】
このように構成された設備装置では、正面視で第一投光部は第二投光部よりも表示部に近接配置されている。よって、第一投光部は、表示部に案内された対象物を確実に検知することができる。また、前方を指向可能に配置されている第二投光部は、設備装置の前方の利用者を検知（人体検知）することができる。
【００１２】
また、本発明に係る設備装置は、前記検知信号に基づいて、所定の機能を実行させる出力信号を送信する制御部と、前記出力信号に基づいて、前記所定の機能を実行する機能実行部と、を備え、記制御部は、前記所定の機能を実行中に、前記検知信号を受信すると、前記所定の機能を停止させる停止信号を送信し、前記機能実行部は、前記停止信号に基づいて、前記所定の機能の実行を停止させてもよい。
【００１３】
このように構成された設備装置では、所定の機能を実行中に、制御部は検知信号を受信すると、所定の機能を停止させる停止信号を送信する。機能実行部は、停止信号に基づいて所定の機能の実行を停止させる。よって、一のセンサーが対象物を検知することにより、所定の機能の実行及び停止を行うことができるため、所定の機能の実行用のセンサーと所定の機能の停止用のセンサーとを別々に設ける必要が無く、設備装置をコンパクトにすることができる。
【発明の効果】
【００１４】
本発明に係る設備装置によれば、対象物を的確に検知することができる。
【図面の簡単な説明】
【００１５】
【図１】本発明の一実施形態に係る擬音装置を斜め前方から見た斜視図である。
【図２】本発明の一実施形態に係る擬音装置の分解斜視図であり、斜め前方から見た図である。
【図３】本発明の一実施形態に係る擬音装置の分解斜視図であり、斜め後方から見た図である。
【図４】図１のＡ−Ａ線断面図である。
【図５】本発明の一実施形態に係る擬音装置の正面図である。
【図６】本発明の一実施形態の変形例に係る洗浄スイッチ装置を斜め前方から見た斜視図である。
【図７】本発明の一実施形態の変形例に係る洗浄スイッチ装置を上方から見た図である。
【図８】本発明の一実施形態の変形例に係る洗浄スイッチ装置の上部パネルを取り外して上方から見た図である。
【発明を実施するための形態】
【００１６】
以下、本発明の一実施形態に係る設備装置の一例として、擬音装置を図１から図４に基づいて説明する。
図１は、本発明の一実施形態に係る擬音装置を前方から見た斜視図である。
図１に示す擬音装置１００は、擬音を発生するための装置である。擬音装置１００は、トイレの壁（不図示）等にブラケットＢ（図２参照）を介して取り付けられている。
なお、以下の説明において、擬音装置１００に対向する利用者側を前方と称し、利用者と反対側（壁側）を後方と称し、これら前方と後方とを結ぶ方向を前後方向と称する。また、利用者から見て左側を左側と称し、利用者から見て右側を右側と称し、これら左側と右側とを結ぶ方向を左右方向と称する。
【００１７】
図２は、擬音装置１００の分解斜視図であり、斜め前方から見た図である。図３は、擬音装置１００の分解斜視図であり、斜め後方から見た図である。なお、図２及び図３には、擬音装置１００を壁に取り付けるためのブラケットＢも合わせて示している。
図２及び図３に示すように、擬音装置１００は、ロアケース１と、アッパーケース２と、フロントパネル（パネル）４と、を有している。
【００１８】
図２に示すように、ロアケース１は、後部ケース本体１０を有している。後部ケース本体１０は、正面視（前方から見て）矩形状に形成され、板厚方向を前後方向に向けた後板部１１を有している。
【００１９】
後板部１１の外縁部には、前方に向かって立設された後部側壁部１２が設けられている。後部側壁部１２は、後板部１１の外縁部の全周にわたって設けられている。
【００２０】
図４は、図１のＡ−Ａ線断面図であり、後述するセンサーユニット６０の投光素子６６ａを通る断面図である。
図４に示すように、後部側壁部１２の前端部の外縁側には、後方に凹む段部１２ａが形成されている。段部１２ａは、後部側壁部１２の全周に形成されている。
【００２１】
図２に示すように、後板部１１には、前方に突出する固定筒状部１６が設けられている。固定筒状部１６は、前後方向を軸線方向とし、円筒状をなしている。後板部１１から固定筒状部１６に連通して、前後方向に貫通する貫通孔１６ｈが形成されている。固定筒状部１６は、後板部１１の四隅及び上部における左右方向の略中央に設けられている。
【００２２】
後板部１１には、前方に突出する係止筒状部１７が設けられている。係止筒状部１７は、前後方向を軸線方向とし、上下方向に長い筒状をなしている。後板部１１から係止筒状部１７に連通して、前後方向に貫通する貫通孔１７ｈが形成されている。係止筒状部１７は、後板部１１の四隅近傍に設けられている。詳細には、係止筒状部１７は、後板部１１の上部の隅部の固定筒状部１６よりも僅かに下方及び後板部１１の下部の隅部の固定筒状部１６よりも僅かに上方に設けられている。係止筒状部１７には、ブラケットＢの係止片ｂ１が係止可能とされている。
【００２３】
図３に示すように、後板部１１の下部には、電線引き込み開口１１ｈが形成されている。電線引き込み開口１１ｈには、後述するＶＶＦケーブルｃ１が挿通可能とされている。電線引き込み開口１１ｈには、後板部１１の後面から開閉自在な電源カバー１１ｋが設けられている。
【００２４】
後板部１１において、電線引き込み開口１１ｈよりも上方には、スイッチ用開口１１ｊが形成されている。スイッチ用開口１１ｊには、後板部１１の後面から開閉自在なスイッチカバー１１ｍが設けられている。
【００２５】
図２に示すように、アッパーケース２は、前部ケース本体２０を有している。前部ケース本体２０は、正面視矩形状に形成され、板厚方向を前後方向に向けた前板部２１を有している。
【００２６】
図２から図４に示すように、前板部２１は、ロアケース１の後板部１１の前方に配置されている。前板部２１とロアケース１の後板部１１との間は、後述する作動ランプ５０、センサーユニット（センサー）６０、スピーカーユニット（機能実行部）９０、第一基板５１、第二基板５２、端子ユニット８０及びスイッチ７０等を収容可能な収容空間Ｓとされている。
【００２７】
図２に示すように、前板部２１の前面２１ｆの上下方向の中間部には、上壁部２２及び下壁部２３が形成されている。上壁部２２及び下壁部２３は、前板部２１の前面２１ｆから後方に向かって折曲されている。上壁部２２及び下壁部２３は、前板部２１の左右方向の全長に形成されている。上壁部２２は、下壁部２３よりも上方に配置されている。上壁部２２の後端部と下壁部２３の後端部とは、底壁部２４により接続されている。
【００２８】
これら上壁部２２、下壁部２３及び底壁部２４により、前板部２１の前面２１ｆから後方に凹む嵌合凹部２５が形成されている。嵌合凹部２５は、前板部２１の上下方向の略中央に形成されている。嵌合凹部２５は、前板部２１の左右方向全長にわたって形成されている。嵌合凹部２５は、正面視左右方向に長い矩形状をなしている。
【００２９】
嵌合凹部２５の底壁部２４には、スピーカー取付孔２４ｈ、ランプ取付孔２４ｊ及びセンサー取付孔２４ｋが形成されている。各取付孔２４ｈ，２４ｊ，２４ｋは、前板部２１（底壁部２４）を前後方向に貫通して形成されている。スピーカー取付孔２４ｈ、ランプ取付孔２４ｊ及びセンサー取付孔２４ｋは、正面視で右側から左側に向かってこの順で並んで配置されている。
【００３０】
スピーカー取付孔２４ｈは、正面視略円形状をなしている。スピーカー取付孔２４ｈの中心には、略円形状をなす中央接続部２６が設けられている。中央接続部２６には、上方、下方且つ左方、及び下方且つ右方のそれぞれに延びる接続片部２７が設けられている。３本の接続片部２７における中央接続部２６側と反対側の端部は、嵌合凹部２５の底壁部２４のスピーカー取付孔２４ｈの外縁部に接続されている。
【００３１】
ランプ取付孔２４ｊは、正面視略円形状をなしている。センサー取付孔２４ｋは、正面視矩形状をなしている。
【００３２】
前板部２１の外縁部には、後方に向かって立設された前部側壁部３２が設けられている。前部側壁部３２は、前板部２１の外縁部の全周にわたって設けられている。
【００３３】
図４に示すように、前部側壁部３２の後端部の外縁側には、後方に突出する突出壁部３２ａが形成されている。突出壁部３２ａはロアケース１の後部側壁部１２の段部１２ａに対向配置され、突出壁部３２ａと段部１２ａとは係合されている。これにより、アッパーケース２とロアケース１とは組み付けられ、上下方向及び左右方向の移動が規制されている。
【００３４】
図３に示すように、前板部２１の後面には、後方に突出する固定筒状部３６が設けられている。固定筒状部３６は、前後方向を軸線方向とし、円筒状をなしている。固定筒状部３６には、前後方向に延びる取付穴３６ｈが形成されている。取付穴３６ｈには、雌ネジ（不図示）が形成されている。固定筒状部３６はロアケース１の固定筒状部１６と対応する位置に設けられ、固定筒状部３６の取付穴３６ｈはロアケース１の固定筒状部１６の貫通孔１６ｈと連通している。ロアケース１の固定筒状部１６の貫通孔１６ｈに後方から挿通された螺子１６ｚが、アッパーケース２の固定筒状部３６の取付穴３６ｈに螺合されている。
【００３５】
前板部２１の後面には、後方に突出する係止筒状部３７が設けられている。係止筒状部３７は、前後方向を軸線方向とし、上下方向に長い筒状をなしている。係止筒状部３７には、前後方向に延びる取付穴３７ｈが形成されている。係止筒状部３７はロアケース１の係止筒状部１７と対応する位置に設けられ、係止筒状部３７の取付穴３７ｈはロアケース１の係止筒状部１７の貫通孔１７ｈと連通している。貫通孔１７ｈの上面には、下方に突出する突出片（不図示）が設けられている。貫通孔１７ｈに挿通されたブラケットＢの係止片ｂ１は、突出片に係止されている。詳細には、係止片ｂ１の下部は突出片の下方に配置され、係止片ｂ１の先端部は貫通孔１７ｈから取付穴３７ｈにまたがって突出片の前方に配置されている。
【００３６】
アッパーケース２には、機能部として、作動ランプ５０、第一基板５１、センサーユニット６０、スイッチ７０、第二基板５２、端子ユニット８０及びスピーカーユニット９０が取り付けられている。
【００３７】
作動ランプ５０は、アッパーケース２の後方から、ランプ取付孔２４ｊに設けられている。
【００３８】
第一基板５１は、アッパーケース２の後部に設けられている。第一基板５１の前面には、図２に示すセンサーユニット６０が設けられている。
【００３９】
センサーユニット６０は、アッパーケース２のセンサー取付孔２４ｋに配置されている。センサーユニット６０は、筐体６１と、筐体６１内に配置された３個の投光素子（投光部、第一投光部）６６ａ、投光素子（投光部、第二投光部）６６ｂ，６６ｃ及び受光素子（受光部）６７とを有している。
【００４０】
図５は、擬音装置１００の正面図であり、フロントパネル４を二点鎖線で示している。
図５に示すように、筐体６１には、前面から後方に向かって凹む投光凹部６８ａ，６８ｂ，６８ｃが形成されている。投光凹部６８ａ，６８ｂ，６８ｃは、正面視で右側から左側に向かって、この順で間隔を有して配置されている。
【００４１】
図４及び図５に示すように、投光凹部６８ａは、後方から前方に向かうにしたがって、次第に下方に向かうとともに右側に向かうように形成されている。図５に示すように、投光凹部６８ｂは、後方から前方に向かうにしたがって、次第に下方に向かうように形成されている。投光凹部６８ｃは、後方から前方に向かうにしたがって、次第に下方に向かうとともに左側に向かうように形成されている。
【００４２】
投光凹部６８ａ，６８ｂ，６８ｃの後部には、それぞれ投光素子６６ａ，６６ｂ，６６ｃが設けられている。
【００４３】
投光凹部６８ａ，６８ｂ，６８ｃのうち正面視で最も右側に配置された（操作情報４１に最も近い）投光素子６６ａは、投光凹部６８ａの形状に対応して、操作情報４１の前方に向かって（前方に向かうにしたがって次第に右側に向かう方向に）光信号を送信して、操作情報４１の前方にかざされた手等を検知（指向）可能である。
【００４４】
投光凹部６８ａ，６８ｂ，６８ｃのうち正面視で中央に配置された投光素子６６ｂは、投光凹部６８ｂの形状に対応して、前方に向かって光信号を送信して、センサーユニット６０の前方にいる利用者を検知可能である。
【００４５】
投光凹部６８ａ，６８ｂ，６８ｃのうち正面視で最も左側に配置された投光素子６６ｃは、投光凹部６８ｃの形状に対応して、前方に向かうにしたがって次第に左側に向かう方向に向かって光信号を送信して、センサーユニット６０の前方にいる利用者を検知可能である。
【００４６】
筐体６１には、前面から後方に向かって凹む受光凹部６９が形成されている。受光凹部６９は、投光凹部６８ａ，６８ｂ，６８ｃの上方に配置されている。受光凹部６９は、投光凹部６８ａから投光凹部６８ｃの左右方向の全長と略同一の長さにわたって形成されている。
【００４７】
図４に示すように、受光凹部６９は、上面６９ｕが略水平面に沿って形成され、下面６９ｂが前方に向かうにしたがって、次第に下方に向かうように形成されている。図５に示すように、受光凹部６９の側面６９ｓは、略鉛直面に沿って形成されている。受光凹部６９の後部には、受光素子６７が設けられている。
【００４８】
投光素子６６ａ，６６ｂ，６６ｃから光信号が送信され、光信号が対象物に当たって反射して、受光素子６７が反射信号を受信することにより、センサーユニット６０は対象物の存在の有無を検知している。例えば、投光素子６６ａ，６６ｂ，６６ｃとして発光ＬＥＤ等を採用することができ、受光素子６７として受光ＩＣ等を採用することができる。
【００４９】
図３に示すように、第一基板５１の後面には、スピーカーユニット９０から出力される擬音の音量等を調節可能なスイッチ７０が設けられている。スイッチ７０は、ロアケース１のスイッチ用開口１１ｊ内に配置されている。
【００５０】
第二基板５２は、アッパーケース２の後部に設けられている。第二基板５２の後面には、ＶＶＦケーブルｃ１が接続された端子ユニット８０が設けられている。端子ユニット８０は、ロアケース１の電線引き込み開口１１ｈ内に配置されている。
【００５１】
スピーカーユニット９０は、アッパーケース２の後部に設けられている。スピーカーユニット９０は、スピーカー本体９１と、スピーカー取付部９２と、を有している。スピーカー取付部９２は、図２に示すアッパーケース２のスピーカー孔４７に設けられた中央接続部２６及び接続片部２７に対応した形状をなしている。スピーカー本体９１は、アッパーケース２の後面とスピーカー取付部９２との間に挟み込まれている。スピーカー取付部９２は、アッパーケース２の前板部２１の後面から後方に突設された固定片２８に螺合されている。スピーカーユニット９０は、アッパーケース２に形成されたスピーカー取付孔２４ｈの位置に対応して、後方に配置されている。
【００５２】
センサーユニット６０が対象物の存在を検知すると、センサーユニット６０の受光素子６７からの検知信号が不図示の制御部に送信される。制御部は、検知信号を受信すると、スピーカーユニット９０に出力信号を送信する。スピーカーユニット９０は出力信号を受信すると、擬音を出力し、所定時間経過後に擬音は停止する。また、擬音の出力中に、センサーユニット６０が対象物の存在を検知すると、センサーユニット６０からの検知信号が不図示の制御部に送信される。制御部は、検知信号を受信すると、スピーカーユニット９０に停止信号を送信する。スピーカーユニット９０は停止信号を受信すると、擬音の出力を停止する。
【００５３】
図１に示すように、フロントパネル４は、アッパーケース２の嵌合凹部（前面）２５に沿って、嵌合凹部２５に沿う左右方向にわたって配置されている。フロントパネル４は、板状をなし、正面視矩形状に形成され、板厚方向を前後方向に向けて配置されている。フロントパネル４は、アッパーケース２の嵌合凹部２５と対応した形状をなしている。換言すると、フロントパネル４の上下方向の長さは、嵌合凹部２５の上壁部２２から下壁部２３までの長さと略同一である。フロントパネル４の左右方向の長さは、嵌合凹部２５の左右方向の長さ（アッパーケース２の前板部２１の左右方向の長さ）と略同一である。フロントパネル４の厚みは、嵌合凹部２５の深さ（前後方向の長さ）と略同一である。正面視で、フロントパネル４の右端部４ｃ及び左端部４ｄは、アッパーケース２の右端部３２ｃ及び左端部４ｄとそれぞれ重なって配置されている。フロントパネル４の右端部４ｃの右端部４ｃの端面及び左端部４ｄの端面は、それぞれアッパーケース２に覆われずに露出している。
【００５４】
図４に示すように、フロントパネル４は、嵌合凹部２５に嵌合されている。本実施形態では、フロントパネル４は、後面に貼着された両面テープ（不図示）により、アッパーケース２の嵌合凹部２５の底壁部２４に取り付けられている。
【００５５】
フロントパネル４の前面４ｆは、アッパーケース２の前面２１ｆと略同一平面上に配置されている。詳細には、フロントパネル４の前面４ｆは、アッパーケース２の前面２１ｆよりも僅かに後方に配置されている。
【００５６】
図２に示すように、フロントパネル４の左右方向の略中央には、対象物を所定の位置に案内させる操作情報（表示部）４１が設けられている。換言すると、図５に示すように、操作情報４１は、正面視でセンサーユニット６０と隣り合いつつ、センサーユニット６０の右側に配置されている。本実施形態では、操作情報４１として、手を示すピクトグラム（絵文字）及び「再生／停止」、「ＰＬＡＹ／ＳＴＯＰ」と記載された文字が示されている。なお、操作情報４１は、ピクトグラムのみ又は文字のみであってもよい。
【００５７】
図２に示すように、フロントパネル４において、操作情報４１の上方には、後述する作動ランプ５０の光が透過可能なランプ透過部４２が設けられている。ランプ透過部４２は、作動ランプ５０と対応する位置に設けられている。
【００５８】
フロントパネル４の右側には、スピーカー孔４７及びダミー穴４６が、上下方向に間隔を有して配置された列をなすととともに、当該列が左右方向に間隔を有して複数列配置されている。全体として、正面視略矩形となるように配列され、スピーカー領域Ｘが形成されている。
【００５９】
スピーカー領域Ｘのうち、四隅に、複数のダミー穴４６が形成されている。ダミー穴４６は、フロントパネル４の板厚方向に貫通されていない穴である。本実施形態では、ダミー穴４６は、フロントパネル４の前面４ｆから後方に凹む形状をなしている。
【００６０】
スピーカー領域Ｘのうち、ダミー穴４６以外の箇所に、板厚方向に貫通された複数のスピーカー孔４７が形成されている。スピーカー孔４７は、アッパーケース２のスピーカー取付孔２４ｈと対応した位置に形成されている。
【００６１】
フロントパネル４の左側は、後述するセンサーユニット６０の投光素子６６ａ，６６ｂ，６６ｃが拡散可能なセンサー領域Ｙとされている。センサー領域Ｙは、センサーユニット６０と対応する位置に設けられている。
【００６２】
フロントパネル４のセンサー領域Ｙの後面４ｂには、投光素子６６ａ，６６ｂ，６６ｃと受光素子６７との間の高さ位置に、溝部４ｊが形成されている。溝部４ｊは、後面４ｂから前方に凹むとともに、左右方向に延びている。溝部４ｊは、受光凹部６９の全長と略同一の長さにわたって形成されている。図４に示すように、溝部４ｊは、前方に向かうにしたがって次第に上下方向の長さが短くなるように、前後方向に沿う鉛直断面視で前端部が尖った形状（略三角形状）をなしている。この溝部４ｊがあることで、投光素子６６ａ，６６ｂ，６６ｃからの迷光を遮断して、投光素子６６ａ，６６ｂ，６６ｃからの光が受光素子６７に直接入り込まないようになっている。
【００６３】
本実施形態では、フロントパネル４は、透明のアクリル樹脂で成型された後、センサー領域Ｙに溝部４ｊを形成する。次いで、フロントパネル４の後面４ｂから操作情報４１を印刷する。次いで、センサー領域Ｙ及びランプ透過部４２をマスキングして、後面４ｂから黒色印刷をする（溝部４ｊにも黒色印刷する）。次いで、ランプ透過部４２に、後面４ｂから光を拡散させる印刷をする。次いで、センサー領域Ｙの後面４ｂに、可視光カットのフィルター（不図示）を設けている。
【００６４】
次に、上記の擬音装置１００の壁への取付方法を説明する。
まず、螺子（不図示）をブラケットＢの取付孔ｂ２（図２参照）に挿通して、壁に螺子止めしておく。壁内のＶＶＦケーブルｃ１をロアケース１の電線引き込み開口１１ｈから引き込み、端子ユニット８０に接続する。電線引き込み開口１１ｈを、電源カバー１１ｋで閉塞する。この際に、スイッチ７０を操作して、擬音の音量等を調整しておく。
【００６５】
次に、螺子１６ｚをロアケース１の固定筒状部１６に挿通して、フロントパネル４が固定されたアッパーケース２の固定筒状部３６に螺合して、アッパーケース２とロアケース１とを一体にしておく。
【００６６】
次に、ブラケットＢの係止片ｂ１を、ロアケース１の係止筒状部１７に係止させる。これにより、擬音装置１００がブラケットＢを介して壁に取り付けられる。
【００６７】
上記の擬音装置１００では、利用者が操作情報４１の前方に手をかざすと、投光素子６６ａから送信された光信号が、手（対象物）に当たって反射して、受光素子６７が反射信号を受信する。受光素子６７は、反射信号に基づいて検知信号を制御部に送信する。制御部は、出力信号をスピーカーユニット９０に送信する。スピーカーユニット９０は、出力信号に基づいて擬音を出力し、所定時間経過後に擬音は停止する。
また、擬音の出力中に、利用者が操作情報４１の前方に手をかざすと、上記と同様に、投光素子６６ａから送信された光信号が手に当たって反射して、受光素子６７が反射信号を受信する。センサーユニット６０は、反射信号に基づいて検知信号を制御部に送信する。制御部は、停止信号をスピーカーユニット９０に送信する。スピーカーユニット９０は、停止信号に基づいて擬音の出力を停止する。
また、制御部は検知信号を受信すると、作動ランプ５０にランプ出力信号を送信する。作動ランプ５０は、ランプ出力信号を受信するとランプを点灯させ、所定時間経過後にランプは消灯する。
また、擬音装置１００の前方に利用者がいる場合、投光素子６６ｂ，６６ｃから送信された光信号が、利用者に当たって反射して、受光素子６７が反射信号を受信する。受光素子６７は、反射信号に基づいて検知信号を制御部に送信する。制御部は、出力信号をスピーカーユニット９０に送信する。スピーカーユニット９０は、出力信号に基づいて擬音を出力し、所定時間経過後に擬音は停止する。
【００６８】
このように構成された擬音装置１００では、センサーユニット６０の前方に配置されたパネルに表示された操作情報４１は、正面視でセンサーユニット６０の右側に配置されている。よって、操作情報４１は正面視でセンサーユニット６０と重なって配置されていないため、投光素子６６ａから送信される光信号が操作情報４１で遮断されない。また、投光素子６６ａは操作情報４１の前方を指向可能に配置されているため、光信号は操作情報４１の前方でかざされた手（対象物）まで到達する。さらに、操作情報４１は正面視でセンサーユニット６０と重なって配置されていないため、光信号が対象物に当たって反射される反射信号が操作情報４１で遮断されずに受光素子６７に到達する。したがって、センサーユニット６０は手を的確に検知することができる。
【００６９】
また、正面視で投光素子６６ａは投光素子６６ｂ，６６ｃよりも操作情報４１に近接配置されている。よって、投光素子６６ａは、操作情報４１に案内された手を確実に検知することができる。また、前方を指向可能に配置されている投光素子６６ｂ，６６ｃは、設備装置１００の前方の利用者を検知（人体検知）することができる。
【００７０】
また、擬音の出力中に、制御部は検知信号を受信すると、擬音の出力を停止させる停止信号を送信する。スピーカーユニット９０は、停止信号に基づいて擬音の出力を停止させる。よって、一のセンサーユニット６０が対象物を検知することにより、擬音の出力及び停止を行うことができるため、擬音の出力用のセンサーと擬音の停止用のセンサーとを別々に設ける必要が無く、擬音装置１００をコンパクトにすることができる。
【００７１】
次に、本発明の一実施形態の変形例について、主に図６から図８を用いて説明する。
なお、以下の説明において、前述した部材と同一の部材には同一の符号を付して、その説明を省略する。
図６は、本発明の一実施形態の変形例に係る洗浄スイッチ装置を斜め前方から見た斜視図である。図７は、本発明の一実施形態の変形例に係る洗浄スイッチ装置を上方から見た図である。図８は、本発明の一実施形態の変形例に係る洗浄スイッチ装置の上部パネルを取り外して上方から見た図である。
図６から図８に示す本変形例に係る洗浄装置は、トイレを洗浄するスイッチである洗浄スイッチ装置である。洗浄スイッチ装置２００は、下部ケース体２０１と、下部ケース体２０１の上方に設けられる上部ケース体２０２と、上部ケース体２０２の上面に設けられる上部パネル（パネル）２０４と、を有している。
【００７２】
図６に示すように、下部ケース体２０１は、略水平面に沿って配置される底壁部２１１と、底壁部２１１の左右両端部から上方に立設された立設壁部２１２と、を有している。
【００７３】
上部ケース体２０２は、略水平面に沿って配置される上面部２２１と、上面部２２１の外縁から下方に延びる側部カバー部２２２と、を有している。
【００７４】
図８に示すように、上面部２２１には、板状に形成され、板厚方向を上下方向に向けて配置されている。上面部２２１は、上面部２２１を正面視して（上方から見て）略矩形状に形成されるとともに、四隅部が円弧状に形成されている。
【００７５】
上面部２２１には、上下方向に貫通するセンサー取付孔２２１ｈが形成されている。センサー取付孔２２１ｈは、上面部２２１の前後方向（図８に示す紙面上下方向）の略中央に配置されている。上面部２２１には、下方に凹む嵌合溝２２６が形成されている。
【００７６】
側部カバー部２２２は、上面部２２１の四周に形成されている。図６に示すように、側部カバー部２２２のうち前側（利用者側）には、前後方向に貫通する人体センサー取付孔２２２ｈが形成されている。人体センサー取付孔２２２ｈは、閉塞板２２３で閉塞されている。
【００７７】
下部ケース体２０１と、上部ケース体２０２とで形成された収容空間Ｓ１には、センサーユニット（センサー）２６０（図８参照）、制御部（不図示）、洗浄機構（不図示）等の機能部が収容されている。
【００７８】
図８に示すように、センサーユニット２６０は、上面部２２１を正面視して、上面部２２１のセンサー取付孔２２１ｈに配置されている。センサーユニット２６０は、筐体２６１と、筐体２６１内に配置された投光素子（投光部、第一投光部）２６６及び受光素子（受光部）２６７とを有している。投光素子２６６は、受光素子２６７よりも前方（利用者側）に配置されている。
【００７９】
図７に示すように、投光素子２６６は、後述する上部パネル２０４の操作情報２４１の上方に向かって配置されている。投光素子２６６は、操作情報２４１の上方に向かって光信号を送信して、操作情報２４１の上方にかざされた手等を検知（指向）可能である。受光素子２６７は、操作情報２４１の上方に向かって配置されている。受光素子２６７は、操作情報２４１の上方にかざされた手で反射された反射信号を受信可能である。
【００８０】
図６に示すように、収容空間Ｓ内には、上部ケース体２０２の閉塞板２２３と対応する位置に、人体センサー用の投光素子及び受光素子（不図示）が設けられている。
【００８１】
上部パネル２０４は、板状に形成され、板厚方向を上下方向に向けて配置されている。上部パネル２０４を正面視して、上部パネル２０４は、上部ケース体２０２の上面部２２１と略同一形状に形成されている。上部パネル２０４の上下方向及び左右方向の長さは、上面部２２１の上下方向及び左右方向の長さと略同一である。上部パネル２０４を正面視して、上部パネル２０４の外縁部（端部）（図７参照）２０４ａは、上面部２２１の外縁部（端部）２２１ａ（図８参照）と重なって配置されている。上部パネル２０４の外縁部２０４ａは、上面部２２１に覆われずに露出している。
【００８２】
上部パネル２０４の下面には、上部ケース体２０２の上面部２２１の嵌合溝２２６（図８参照）に対応する形状の嵌合突起（不図示）が設けられている。嵌合突起が嵌合溝２２６に嵌合されることで、上部パネル２０４は、上部ケース体２０２の上面部２２１の上面に取り付けられている。なお、上部パネル２０４の下面に両面テープ（不図示）を貼着して、上面部２２１に取り付けられていてもよい。
【００８３】
図７に示すように、上部パネル２０４のうち、正面視でセンサーユニット２６０と対応する位置は、センサーユニット２６０の投光素子２６６が拡散可能なセンサー領域Ｙ１とされている。
【００８４】
上部パネル２０４の左右方向の略中央には、対象物を所定の位置に案内させる操作情報（表示部）２４１が設けられている。換言すると、操作情報２４１は、正面視でセンサーユニット２６０と隣り合いつつ、センサーユニット２６０の右側に配置されている。本実施形態では、操作情報２４１として、水の流れ（渦巻き）を示すピクトグラム（絵文字）及び「手をかざしてください」、「Ｐｌａｃｅ  ｙｏｕｒ  ｈａｎｄ  ｏｖｅｒ  ｔｈｅ  ｓｅｎｓｏｒ.」と記載された文字が示されている。また、これらの操作情報２４１の後方（図７の紙面上方）には、「流す」、「Ｆｌｕｓｈ」の文字が記載されている。
【００８５】
上記の洗浄スイッチ装置２００では、利用者が操作情報２４１の上方に手をかざすと、投光素子２６６から送信された光信号が、手（対象物）に当たって反射して、受光素子２６７が反射信号を受信する。受光素子２６７は、反射信号に基づいて検知信号を制御部に送信する。制御部は、出力信号を洗浄機構に送信する。洗浄機構は、出力信号に基づいてポンプ等を作動させ、洗浄水を流出する。
また、利用者が退出すると、人体センサー用の投光素子から送信された光信号が、利用者に当たって反射して、人体センサー用の受光素子が反射信号を受信する。人体センサー用の受光素子は、反射信号に基づいて検知信号を制御部に送信する。制御部は、出力信号を洗浄機構に送信する。洗浄機構は、出力信号に基づいてポンプ等を作動させ、洗浄水を流出する。
【００８６】
このように構成された洗浄スイッチ装置２００では、センサーユニット２６０の上方に配置された上部パネル２０４に表示された操作情報２４１は、正面視で（上方から見て）センサーユニット２６０の右側に配置されている。よって、操作情報２４１は正面視でセンサーユニット２６０と重なって配置されていないため、投光素子２６６から送信される光信号が操作情報２４１で遮断されない。また、投光素子２６６は操作情報２４１側を指向可能に配置されているため、光信号は操作情報２４１の上方でかざされた手（対象物）まで到達する。さらに、操作情報２４１は正面視でセンサーユニット２６０と重なって配置されていないため、光信号が対象物に当たって反射される反射信号が操作情報２４１で遮断されずに受光素子２６７に到達する。したがって、センサーユニット２６０は手を的確に検知することができる。
【００８７】
なお、上述した実施の形態において示した各構成部材の諸形状や組み合わせ等は一例であって、本発明の主旨から逸脱しない範囲において設計要求等に基づき種々変更可能である。
【００８８】
例えば、上記に示す実施形態では、設備装置の一例として擬音装置１００や洗浄スイッチ装置２００を例に挙げて説明したが、本発明はこれに限られず、他の設備装置にも適用可能である。
【００８９】
また、上記に示す実施形態では、壁面にブラケットＢが設けられ、ブラケットＢに擬音装置１００が取り付けられ、ＶＶＦケーブルｃ１から動力が供給される形態の擬音装置１００を例に挙げて説明したが、本発明はこれに限られない。壁面にブラケットが設けられ、ブラケットに擬音装置が取り付けられ、擬音装置の内部に設けられた電池から動力が供給される所謂電池式の擬音装置であってもよい。あるいは、壁に設けられた貫通孔に四方枠状に形成されたブラケットが配置され、ブラケットの内部にロアケースが納められた所謂埋め込み式の擬音装置１００であってもよい。
【００９０】
また、上記に示す実施形態では、正面視で操作情報４１はセンサーユニット６０の右側に配置されているが、本発明はこれに限られない。正面視で表示部はセンサーと隣り合って配置されていなければよく、センサーの上側、下側、左側等に配置されていてもよい。
【００９１】
また、上記に示す実施形態では、制御部は、通常時に擬音を出力させる出力信号を送信するとともに、擬音の出力行中に擬音の出力を停止させる停止信号を送信する構成としているが、本発明はこれに限られない。所定の機能の実行用のセンサーと所定の機能の停止用のセンサーとを別々に設けてもよい。
【符号の説明】
【００９２】
１…ロアケース
２…アッパーケース
４…フロントパネル（パネル）
２５…嵌合凹部
４１，２４１…操作情報（表示部）
４６…ダミー穴
４７…スピーカー孔
５０…作動ランプ
５１…第一基板
５２…第二基板
６０，２６０…センサーユニット（センサー）
６６ａ，２６６…投光素子（投光部、第一投光部）
６６ｂ，６６ｃ…投光素子（投光部、第二投光部）
６７，２６７…受光素子（受光部）
７０…スイッチ
８０…端子ユニット
９０…スピーカーユニット（機能実行部）
９１…スピーカー本体
１００…擬音装置（設備装置）
２００…洗浄スイッチ装置（設備装置）
２０４…上部パネル（パネル）
Ｂ…ブラケット
Ｓ，Ｓ１…収容空間
Ｘ…スピーカー領域
Ｙ，Ｙ１…センサー領域
【図１】
2019052956.tif 000003
【図２】
2019052956.tif 000004
【図３】
2019052956.tif 000005
【図４】
2019052956.tif 000006
【図５】
2019052956.tif 000007
【図６】
2019052956.tif 000008
【図７】
2019052956.tif 000009
【図８】
2019052956.tif 000010